(57)【要約】      （修正有）【課題】車両の高い走行性能を実現する。【解決手段】走行中に走行状態に応じた外力が作用する車体には、車体に張力を加えるワイヤ４２が取り付けられる。アクチュエータ４７は、走行状態に応じてワイヤ４２の張力を調整し、車体の剛性を変化させる。ワイヤ４２は、車体の骨格部材内を通して設けられ、走行状態に応じた骨格部材の歪みを制御する。【選択図】図３
2014069749.tif 000002
【特許請求の範囲】
【請求項１】
走行中に走行状態に応じた外力が作用する車体に取り付けられて、前記車体に張力を加える第１ワイヤと、
走行状態に応じて前記第１ワイヤの張力を調整して、前記車体の剛性を変化させるアクチュエータと、
を有し、
前記第１ワイヤは、
前記車体の骨格部材内を通して設けられ又は前記骨格部材の周囲に巻き付けて設けられ、走行状態に応じた前記骨格部材の歪みを制御する、
車両。
【請求項２】
前記骨格部材は、前記車体において前後方向に延在し、前後両端で他の部材と結合され、
前記第１ワイヤは、前記骨格部材内を通し、両端が前記前後両端の結合部に取り付けられ、前記骨格部材の前後両端の間に架け渡される、
請求項１記載の車両。
【請求項３】
前記骨格部材は、多角形の内部空間を有し、中央部において他の部材と連結され、
前記内部空間は、前記他の部材が連結される側の内面とそれに対向する角部とを有し、
前記第１ワイヤは、前記角部に沿って前記骨格部材内を通し、両端が前記角部の両端に取り付けられ、前記中央部において前記内面に取り付けられる、
請求項１記載の車両。
【請求項４】
前記骨格部材は、両端において他の部材と結合され、
前記第１ワイヤは、前記骨格部材内を通し、両端が前記骨格部材の両端の結合部に取り付けられ、
前記骨格部材内を通し、両端が前記骨格部材の両端の結合部に取り付けられる第２ワイヤを有し、
前記第１ワイヤおよび前記第２ワイヤは、前記骨格部材の両端の結合部において互いに異なる角部に取り付けられ、前記骨格部材内で交差する、
請求項１記載の車両。
【請求項５】
前記第１ワイヤは、前記骨格部材内を通し、両端が前記骨格部材の両端の結合部に取り付けられ、中央部が前記骨格部材外に引き出され、
前記骨格部材外に引き出された前記第１ワイヤの中央部は、前記車体の他の部材に掛けられる、
請求項１記載の車両。
【発明の詳細な説明】
【技術分野】
【０００１】
本発明は、自動車などの車両に関する。
【背景技術】
【０００２】
自動車などの車体には、たとえば、組み上げた複数の骨格部材に外板を溶接したモノコック構造のもの、シャーシ台に骨格部材を取り付けたシャーシ構造のもの、がある。そして、車体には、衝突安全性、走行性能などが要求され、一般的に高剛性に形成することが望まれる。
たとえば特許文献１にあるように、板金などの剛体を用いて車体の骨格部材を補強し、車体の剛性を向上させることが考えられる。
【先行技術文献】
【特許文献】
【０００３】
【特許文献１】特開２００５−２６２９５１号公報
【発明の概要】
【発明が解決しようとする課題】
【０００４】
しかしながら、車体の骨格部材に要求される複数の性能、たとえば衝突安全性と走行性能とは、必ず両立するものとは言えない。
たとえば、乗車室の左右両側部から前方へ突出する骨格部材としてのフロントサイドメンバは、エンジンが搭載される。走行性能のためには、コーナリング中の荷重によりフロントサイドメンバが歪まないように、高剛性に形成することが求められる。これに対し、衝突安全性能のためには、フロントサイドメンバは衝突時の衝撃により座屈し、衝撃を吸収するように形成することが求められる。そして、一般的には走行性能よりも衝突安全性能が優先される。走行性能が犠牲になる。
このようにフロントサイドメンバの強度は制限される。フロントサイドメンバは、コーナリング中の荷重により撓んだり、捩れたりする可能性がある。この車体の歪みは、操作応答性や操舵安定性などの走行性能に影響を与える。
このような骨格部材についての剛性の制限は、フロントサイドメンバに限られない。車体を構成する部材は、衝突安全性能などのために、剛性が制限されることがある。
たとえば特許文献１にあるように、板金などの剛体を用いて車体の骨格部材を補強した場合であっても、骨格部材の剛性は衝突安全性能などのために制限される。
その結果、車体は、走行中に歪む可能性がある。
【０００５】
このように、車両には、骨格部材について高い剛性を確保し、車体に望まれる高い走行性能、たとえばスポーツ車両に求められる高い操作応答性や操舵安定性などを実現することが求められている。
【課題を解決するための手段】
【０００６】
本発明に係る車両は、走行中に走行状態に応じた外力が作用する車体に取り付けられて、車体に張力を加える第１ワイヤと、走行状態に応じて第１ワイヤの張力を調整して、車体の剛性を変化させるアクチュエータと、を有し、第１ワイヤは、車体の骨格部材内を通して設けられ又は骨格部材の周囲に巻き付けて設けられ、走行状態に応じた骨格部材の歪みを制御する。
【０００７】
好適には、骨格部材は、車体において前後方向に延在し、前後両端で他の部材と結合され、第１ワイヤは、骨格部材内を通し、両端が前後両端の結合部に取り付けられ、骨格部材の前後両端の間に架け渡される、とよい。
【０００８】
好適には、骨格部材は、多角形の内部空間を有し、中央部において他の部材と連結され、内部空間は、他の部材が連結される側の内面とそれに対向する角部とを有し、第１ワイヤは、角部に沿って骨格部材内を通し、両端が角部の両端に取り付けられ、中央部において内面に取り付けられる、とよい。
【０００９】
好適には、骨格部材は、両端において他の部材と結合され、第１ワイヤは、骨格部材内を通し、両端が骨格部材の両端の結合部に取り付けられ、骨格部材内を通し、両端が骨格部材の両端の結合部に取り付けられる第２ワイヤを有し、第１ワイヤおよび第２ワイヤは、骨格部材の両端の結合部において互いに異なる角部に取り付けられ、骨格部材内で交差する、とよい。
【００１０】
好適には、第１ワイヤは、骨格部材内を通し、両端が骨格部材の両端の結合部に取り付けられ、中央部が骨格部材外に引き出され、骨格部材外に引き出された第１ワイヤの中央部は、車体の他の部材に掛けられる、とよい。
【発明の効果】
【００１１】
本発明では、第１ワイヤが車体に取り付けられ、アクチュエータが第１ワイヤの張力を走行状態に応じて調整する。車体の剛性は、走行状態に応じて変化し、車体の歪みを抑えることができる。
特に、第１ワイヤは、車体の骨格部材内を通して設けられ又は骨格部材の周囲に巻き付けて設けられる。よって、アクチュエータが第１ワイヤに対して張力を与えることにより、該骨格部材の剛性を向上できる。
その結果、車体の剛性を走行状態に応じて高めて、車体に望まれる高い走行性能を実現できる。たとえばスポーツ車両に求められる高い操作応答性や操舵安定性などを実現できる。
また、第１ワイヤは、車体の骨格部材内を通して設けられ又は骨格部材の周囲に巻き付けて設けられるので、骨格部材の周囲に第１ワイヤを通すための空間を別途確保する必要がない。
【図面の簡単な説明】
【００１２】
【図１】本発明の第１実施形態に係る自動車の車体を斜め上方から見た斜視図である。
【図２】図１の車体を斜め下方から見た斜視図である。
【図３】車体の剛性制御装置の一例を示すブロック図である。
【図４】車体の骨格部材と、車体に対する外力の入力部とを模式的に示した図である。
【図５】図３の剛性制御装置による、車体の剛性制御のフローチャートである。
【図６】車両に対する外力の作用の仕方の一例の説明図である。
【図７】本発明の第２実施形態での、ワイヤの取り付け方の説明図である。
【図８】本発明の第３実施形態での、ワイヤの取り付け方の説明図である。
【図９】本発明の第４実施形態での、ワイヤの取り付け方の説明図である。
【図１０】ワイヤの取り付け方の第１の変形例の説明図である。
【図１１】ワイヤの取り付け方の第２の変形例の説明図である。
【図１２】ワイヤの取り付け方の第３の変形例の説明図である。
【発明を実施するための形態】
【００１３】
以下、本発明の第１実施形態を、図面を参酌して説明する。
【００１４】
［第１実施形態］
図１および図２は、本発明の第１実施形態に係る自動車の車体１を示す斜視図である。
図１は、車体１の上斜視図である。図２は、車体１の下斜視図である。
本第１実施形態の車体１は、複数の骨格部材を組み合わせ、さらに組み上げた複数の骨格部材に鋼板を溶接したモノコック構造のものである。
【００１５】
図１および図２のモノコック構造の車体１は、具体的にはたとえば以下の骨格部材を有する。
車体１の乗車室のフロアパネル１１の下には、フロアパネル１１の左右両端縁とセンタートンネル１２との間で前後方向へ延びる一対のフロアーメンバ１３が設けられる。フロアパネル１１の上には、フロアパネル１１の左右両端縁に渡るフロアクロスメンバ１４が設けられる。フロアーメンバ１３とフロアクロスメンバ１４とは、フロアパネル１１を介して連結される。
フロアパネル１１の前縁上には、ダッシュボード１５が立設される。ダッシュボード１５は、乗車室とエンジン室とを仕切る。ダッシュボード１５の前面には、一対のフロントサイドメンバ１６が前側へ突出させて取り付けられる。一対のフロントサイドメンバ１６の先端部にラジエターパネル１７、フロントバンパービーム１８が取り付けられる。一対のフロントサイドメンバ１６の後端は、一対のフロアーメンバ１３の前端と連結される。
ダッシュボード１５の左右両端縁には、一対のＡピラー１９が取り付けられる。一対のＡピラー１９には、一対のフロントアッパメンバ２０がＡピラー１９から前方へ突出させて設けられる。Ａピラー１９には、図示外のフロントドアが開閉可能に取り付けられる。フロントドア内には、フロントドアビーム、フロントドアクロスメンバが設けられる。
フロアパネル１１の左右両端縁には、一対のサイドシル２１が設けられる。一対のサイドシル２１の前端は、トルクボックス構造の鋼板２２により、一対のフロントサイドメンバ１６または一対のフロアーメンバ１３と結合される。一対のサイドシル２１は、フロアクロスメンバ１４により連結される。
フロアパネル１１の後端縁上には、乗車室と荷物室とを仕切るリアバルクヘッド２３が立設される。リアバルクヘッド２３の左右両端縁に、一対のＣピラー２４が取り付けられる。
一対のＡピラー１９の上端と一対のＣピラー２４の上端との間に、一対のルーフサイドレール２５が取り付けられる。一対のルーフサイドレール２５の間には、ルーフクロスメンバ２６が左右方向に延在して設けられる。一対のルーフサイドレール２５は、ルーフクロスメンバ２６により連結される。サイドシル２１の中央部とルーフサイドレール２５の中央部との間に、Ｂピラー２７が設けられる。サイドシル２１とルーフサイドレール２５とは、Ｂピラー２７により連結される。一対のＢピラー２７には、図示外の一対のリアドアが取り付けられる。リアドア内には、リアドアビーム、リアドアクロスメンバが設けられる。
一対のサイドシル２１の後端には、一対のリアサイドメンバ２８の前端が連結される。一対のリアサイドメンバ２８は、リアバルクヘッド２３から後方へ向かって突出し、後端部にリアバンパービーム２９が取り付けられる。
このような複数の骨格部材には、鋼板が溶接される。たとえば、Ａピラー１９とフロントアッパメンバ２０との間に、リインフォースメント用の鋼板が取り付けられる。また、車体１には、外板として、たとえばボンネットフード板、左右のフェンダー板、トランクリッド板、ルーフ板などが取り付けられる。これにより、車体１が完成する。なお、複数の骨格部材は、溶接またはねじ止めにより連結できる。
【００１６】
ところで、モノコック構造の車体１には、シャーシ台に骨格部材を取り付けたシャーシ構造の車体１と同様に、エンジン、モータなどの駆動源が取り付けられる。車体１の前部には、図示外のフロントサスペンションクロスメンバおよび一対のフロントサスペンションにより、左右一対の前輪が取り付けられる。車体１の後部には、図示外のリアサスペンションクロスメンバおよび一対のリアサスペンションにより、左右一対の後輪が取り付けられる。
一般的な車両では、エンジン、モータ、フロントサスペンションクロスメンバは、一対のフロントサイドメンバ１６に取り付けられる。一対のフロントサスペンションの上端部は、一対のフロントサイドメンバ１６と一対のフロントアッパメンバ２０との間の板金に設けた鋼板の貫通孔３０に挿入して取り付けられる。リアサスペンションクロスメンバは、一対のリアサイドメンバ２８に取り付けられる。一対のリアサスペンションの上端部は、一対のリアサイドメンバ２８に取り付けたリアバルクヘッド２３の貫通孔に挿入して取り付けられる。車体１は、一対のフロントサスペンションおよび一対のリアサスペンションを通じて、前輪および後輪上に保持される。
【００１７】
そして、車体１には、走行中の走行状態に応じた外力が作用する。走行中の外力は、フロントサスペンションの取付位置、フロントサスペンションクロスメンバの取付位置、リアサスペンションの取付位置、リアサスペンションクロスメンバの取付位置から、車体１に入力される。車体１は、これらの外力により変形し難いように形成する必要がある。また、車体１には、衝突安全性、走行性能、乗車感などの複数の性能が要求される。このため、車体１は、一般的に高剛性に形成する必要がある。
【００１８】
しかしながら、車体１の骨格部材に要求される複数の性能、たとえば衝突安全性と走行性能とは、必ず両立するものとは言えない。
たとえば、乗車室の左右両側部から前方へ突出する骨格部材としてのフロントサイドメンバ１６には、エンジンが搭載される。走行性能のためには、コーナリング中の荷重によりフロントサイドメンバ１６が歪まないように、高剛性に形成することが求められる。これに対し、衝突安全性能のためには、フロントサイドメンバ１６は衝突時の衝撃により座屈し、衝撃を吸収するように形成することが求められる。そして、一般的には走行性能よりも衝突安全性能が優先される。走行性能が犠牲になる。
このようにフロントサイドメンバ１６の強度は制限される。フロントサイドメンバ１６は、コーナリング中の荷重により撓んだり、捩れたりする可能性がある。この車体の歪みは、操作応答性や操舵安定性などの走行性能に影響を与える。
このような骨格部材についての剛性の制限は、フロントサイドメンバ１６に限られない。車体１を構成する部材は、衝突安全性能などのために、剛性が制限されることがある。
その結果、車体１は、走行中に歪む可能性がある。
【００１９】
走行中の各種の走行状態に応じた剛性不足を補うために、本第１実施形態では、ワイヤ４２を用いて車体１の骨格部材の剛性を補強する。特に、走行状態に応じてワイヤ４２の張力を調整することにより、走行中の車体１の剛性を走行状態に対して適応的に変化できる。車体１の骨格部材の剛性を走行中に走行状態に対して可変させることにより、車体１自体の剛性バランスによる高い衝突安全性能を維持しながら、走行状態に応じて必要とされる車体１の剛性を得ることができる。走行中に車体１が歪み難くなる。
これに対し、単に板金や金属ロッドのような剛体により骨格部材を補剛した単一剛性の車体１では、その補剛箇所のみの剛性が向上するだけである。骨格部材の全体的な剛性を向上させることが困難である。また、板金などによる補剛では、衝突安全性能よりも走行性能や乗車感を優先しなければ、スポーツ走行に適した高い走行性能や乗車感を得ることが難しい。
【００２０】
図３は、図１の車体１に搭載される車体１の剛性制御装置４１の一例を示すブロック図である。
図３の車体１の剛性制御装置４１は、車体１に連結される一対のワイヤ４２、動滑車４５、補助ワイヤ４６、アクチュエータ４７、張力を走行状態に応じて調整するための制御信号をアクチュエータ４７へ出力するコントローラ４８、ワイヤ４２の実際の張力を検出する張力検出部４９、を有する。また、コントローラ４８は、走行状態を判断するための情報を取得するために、車両に搭載される情報源機器５０、たとえば走行制御装置５１、ナビゲーション装置５２、運転支援装置５３、通信装置５４に接続される。
なお、ワイヤ４２を直線的に配置できない場合、ワイヤ４２が架けられる滑車、リブなどのガイド部材を使用してもよい。
【００２１】
一対のワイヤ４２は、車体１に連結されて、走行中の車体１に張力を作用させる。車体１の衝突安全性能は、基本的に車体１の骨格部材および骨格構造により確保される。よって、ワイヤ４２は、車体１に与える張力に耐え得るものであればよい。ワイヤ４２は、たとえばピアノ線を縒り合せた金属線でよい。
ワイヤ４２は、車体１の補剛に用いられる板金や金属ロッドと異なり、可撓性を有する。ワイヤ４２は、両端の間隔を広げる引っ張り方向において張力を発揮するが、両端の間隔を狭める短縮方向においては張力を発揮しない。車体１が座屈する場合に緩むようにワイヤ４２を取り付けることで、車体１の変形を阻害し難い。ワイヤ４２は、基本的に、車体１自体の衝突安全性能を損なわない。車体１は前後方向または左右方向から衝突する。ワイヤ４２は、たとえば車体１の前後方向または左右方向に沿って設ければよい。
図３の一対のワイヤ４２の両端は、車体１に取り付けられる。フロントサイドメンバ１６は、四角形の内部空間を有する。一対のワイヤ４２は、フロントサイドメンバ１６の内部空間を通して、両端がフロントサイドメンバ１６の前後両端に取り付けられ、フロントサイドメンバ１６の前後両端の間に架け渡される。
また、一対のワイヤ４２は、フロントサイドメンバ１６の四角形の内部空間において、交差して設けられる。一対のワイヤ４２の交差位置には、動滑車４５が架けられる。
ワイヤ４２の端部は、ねじ止め、溶接などにより、車体１に直接的に取り付けてよい。
【００２２】
なお、車体１に対するワイヤ４２の取り付け方は、図３に限られない。ワイヤ４２は、たとえばその一端が骨格部材に取り付けられ、他端がアクチュエータ４７に取り付けられてよい。
図４は、車体１の骨格部材と、車体１に対する外力の入力部とを模式的に示した図である。
図４では、４本の骨格部材６１が四角形の枠形状に組まれている。枠の外側に、外力の入力部６２が存在する。外力の入力部６２は、たとえばフロントサスペンションの取付位置である。図１の車体１の場合、骨格部材６１としてのフロントサイドメンバ１６とフロントアッパメンバ２０との間に取り付けた板金の貫通孔３０である。
ワイヤ４２は、たとえば骨格部材６１を通して、骨格部材６１の内部空間に設けられる。ワイヤ４２の端部は、骨格部材６１の端部６３、骨格部材６１同士の結合部６４、骨格部材の中央部６５などに連結してよい。ワイヤ４２の両端は、直接的にまたは間接的に車体１に取り付けられればよい。ワイヤ４２は、車体１の複数の取付位置の間に架け渡してよい。
このように車体１の骨格部材６１の内部空間を通して、両端を骨格部材６１に連結したワイヤ４２を設けることにより、骨格部材６１の剛性を向上でき、車体１の剛性が向上し、車体１が歪み難くなる。
【００２３】
アクチュエータ４７は、ワイヤ４２に対して直接的にまたは間接的に張力を与える。アクチュエータ４７は、走行中にワイヤ４２の張力を調整する。これにより、車体１の剛性および剛性バランスは、走行中に変化する。
アクチュエータ４７は、たとえばワイヤ４２を巻き取るリール５７が取り付けられた電動モータ５８でよい。電動モータ５８の駆動力によりワイヤ４２がリール５７に巻き取られる。電動モータ５８の駆動力に応じた張力が、ワイヤ４２およびその取付位置に作用する。電動モータ５８の替わりに、オイルモータ、燃料を燃焼するエンジンを用いてよい。なお、電動モータ５８、オイルモータまたはエンジンとともに、ワイヤ４２の巻取状態を一定状態に維持するラチェット機構を用いてもよい。
ワイヤ４２の張力をアクチュエータ４７により調整することにより、走行中の車体１に対して走行状態に応じた張力を作用させることができる。これに対し、ワイヤ４２の張力を固定した場合、ワイヤ４２は常に一定の張力を車体１に与える。走行中の車体１に対して、走行状態に応じた適切な張力を作用させることができない。また、車体１は、元来、所定の剛性が得られるように形成されている。ワイヤ４２の張力が外力に対応したものでない場合、車体１は、車体自体で予定していた本来の変形とは異なる変形となる可能性がある。自動車の操作性や乗車感は、車体１の剛性または剛性バランスが微妙に変化しただけでも、大きく変化することがある。ワイヤ４２の張力を走行中に調整できるように構成することにより、走行状態の変化に応じて走行中の車体１の剛性を変化させ、走行状態に応じた良好な操作性や乗車感を得ることができる。
図３において、アクチュエータ４７は、補助ワイヤ４６により動滑車４５に連結される。動滑車４５は、一対のワイヤ４２の交差位置に架けられる。アクチュエータ４７は、直接的には動滑車４５を駆動し、車体１に張力を作用させる一対のワイヤ４２に対して間接的に張力を与える。アクチュエータ４７は、一対のワイヤ４２の両端に対して、同じ張力を作用させることができる。
なお、車体１に張力を作用させるワイヤ４２と、アクチュエータ４７との連結は、図３に限られない。たとえばアクチュエータ４７にワイヤ４２の一端が直接に連結されてよい。この場合、アクチュエータ４７は、車体１の骨格部材などに対して、ワイヤ４２の張力に耐え得る強度で取り付ける必要がある。
【００２４】
張力検出部４９は、ワイヤ４２が車体１に作用させる張力を直接的にまたは間接的に検出する。張力検出部４９は、たとえば歪みゲージでよい。歪みゲージは、ワイヤ４２の表面に張り付けることができる。歪みゲージは、ワイヤ４２の張力に応じた伸縮により変形し、その変形による抵抗値の変化により、ワイヤ４２の張力を検出する。なお、ワイヤ４２の一端は、張力検出部４９を介して、車体１に取り付けられてもよい。この場合、張力検出部４９は、車体１に対し、ワイヤ４２の張力に耐え得る強度で取り付ける必要がある。
張力検出部４９は、ワイヤ４２が車体１に作用させる張力を示す検出信号をアクチュエータ４７へ出力する。アクチュエータ４７は、張力検出部４９により検出される実際のワイヤ４２の検出張力が、コントローラ４８により指示される目標張力に収束するように、ワイヤ４２に与える張力を調整する。
図３において、張力検出部４９は、車体１に張力を作用させるワイヤ４２に取り付けられ、このワイヤ４２の張力を直接的に検出する。
なお、張力検出部４９は、ワイヤ４２の張力を間接的に検出してよい。たとえば動滑車４５とアクチュエータ４７とを連結する補助ワイヤ４６に取り付けてもよい。
【００２５】
コントローラ４８は、走行状態に応じて張力を調整するための制御信号をアクチュエータ４７へ出力する。コントローラ４８は、たとえば車両に搭載されるＥＣＵ（Engine Control Unit）、その他のマイクロコンピュータでよい。
マイクロコンピュータは、たとえばＣＰＵ（Central Processing Unit）、メモリ、入出力ポート、およびこれらを接続するシステムバスを有する。入出力ポートは、アクチュエータ４７に接続される。ＣＰＵは、メモリに記憶されるプログラムを読み込んで実行する。これにより、コントローラ４８が実現される。
コントローラ４８は、走行中に、走行状態を繰り返し判断する。走行中の車両の走行状態には、たとえば加速、減速、停止、右旋回、左旋回、速度域などがある。コントローラ４８は、判断した走行状態に対応するワイヤ４２の張力を特定し、制御信号を生成し、生成した制御信号を入出力ポートからアクチュエータ４７へ出力する。
【００２６】
図５は、図３の剛性制御装置４１による、車体１の剛性を走行状態に応じて制御するフローチャートである。
コントローラ４８は、図５の制御を、車両の走行中に繰り返し実行する。
コントローラ４８は、ドライバによるアクセル、ブレーキ、ステアリングの操作入力タイミングにおいて、図５の剛性制御を実行する。
【００２７】
走行状態に応じた車体１の剛性制御において、コントローラ４８は、まず、車両の走行状態に応じて車体１に作用する外力を判断するための情報（制御利用パラメータ）を取得する（ステップＳＴ１）。
コントローラ４８は、たとえば車両の走行制御装置５１から情報を取得する。走行制御装置５１は、ＶＤＣ（Vehicle Dynamics Control）により、前輪または後輪の横滑りを検出した場合に各車輪のブレーキおよびエンジン出力を制御し、車両の走行を安定させる。走行制御装置５１は、走行状態に応じてフロントサスペンションまたはリアサスペンションに用いられているマグネティックライドサスペンションのダンパーの減衰力を調整する。走行制御装置５１は、ドライバによるアクセル開度、ブレーキ操作量、ステアリングの舵角を検出する。コントローラ４８は、走行制御装置５１から、これらの検出情報、操作情報、制御情報を、車両挙動データとして取得する。
また、コントローラ４８は、たとえばナビゲーション装置５２から情報を取得する。ナビゲーション装置５２は、目的地設定に応じて現在地からの案内経路を探索し、誘導する。経路探索には、地図データに含まれる道路を示すリンクデータ、地形データなどが用いられる。コントローラ４８は、ナビゲーション装置５２から、ナビゲーション情報として、たとえば案内経路、地形、道路の情報を取得する。
また、コントローラ４８は、たとえば運転支援装置５３から情報を取得する。運転支援装置５３は、車体１に取り付けられたカメラにより車両の周囲または前方を撮像し、その撮像画像中の物体との衝突可能性を予測し、警報を発する。また、警報後も危険状態が継続している場合、車両を停止させるなどの衝突回避制御を実行する。コントローラ４８は、運転支援装置５３から、たとえば車両の周囲または前方の撮像画像、危険対象物の情報、危険予測情報を取得する。
また、コントローラ４８は、たとえば通信装置５４から、交通情報などを取得する。通信装置５４は、たとえばＩＴＳ（Intelligent Transport System）、ＶＩＣＳ（Vehicle Information and Communication System）などでの交通情報を受信する。交通情報には、走行予定の道路の渋滞情報が含まれる。コントローラ４８は、通信装置５４から、たとえば交通情報を取得する。
【００２８】
走行状態を判断するための情報を取得した後、コントローラ４８は、取得した情報に基づく走行状態および外力の判断に先立って、衝突可能性を判断する（ステップＳＴ２）。
コントローラ４８は、運転支援装置５３から取得した、たとえば車両の前方の撮像画像または危険予測情報に基づいて、衝突する可能性が高い危険対象物の有無を判断する。
たとえば、危険予測情報が衝突を予測している場合、コントローラ４８は、衝突可能性ありと判断する。危険予測情報が衝突を予測していない場合、コントローラ４８は、衝突可能性なしと判断する。
【００２９】
衝突可能性があると判断した場合、コントローラ４８は、後述する通常の張力制御に替えて、衝突用の張力制御を実行する（ステップＳＴ３）。
コントローラ４８は、通常の走行状態に応じた制御信号に替えて、衝突予測時の制御信号を出力する。コントローラ４８は、ワイヤ４２の張力をたとえば解放する制御信号を、アクチュエータ４７へ出力する。ワイヤ４２の張力を解放する制御信号が入力されると、アクチュエータ４７は、ワイヤ４２の張力が０となるようにモータの駆動を停止する。ワイヤ４２の張力は解放される。
このように衝突可能性を判断し、ワイヤ４２の張力を解放する制御を実行することにより、車両が実際に衝突する前に、車体１にワイヤ４２の張力が作用しないようにできる。車体１は、ワイヤ４２の張力が作用していない状態で衝突できるので、それに作り込まれた衝突性能の下で衝突できる。ワイヤ４２の張力により、車体１の衝突安全性能が低下してしまう可能性を無くすことができる。
また、走行状態に応じて車体１の剛性を制御する処理ルーチン内で、走行状態を判断するための情報を取得した直後に、かつ、実際に車体１の剛性を制御する前に、衝突可能性を判断し、ワイヤ４２の張力を解放する。ワイヤ４２の張力変動を起こさせないまま解放できる。
これに対し、仮にたとえば、剛性の制御ルーチン外で衝突判断をして張力を解放する制御を実行した場合、ワイヤ４２の張力を解放するタイミングによっては、まず、剛性の制御ルーチンによりワイヤ４２の張力が変化し、その後に、ワイヤ４２の張力が解放される可能性がある。衝突を回避する期間中にワイヤ４２の張力が変動し、衝突直前に車体１に不要な挙動が起こる可能性がある。
【００３０】
これに対し、衝突可能性がないと判断した場合、コントローラ４８は、通常の張力制御を継続する。
コントローラ４８は、取得した情報に基づいて、車両の走行状態および車体１に作用する外力を判断する（ステップＳＴ４）。コントローラ４８は、判断した外力による車体１の歪みを抑制する張力を取得する（ステップＳＴ５）。コントローラ４８は、取得した張力を指示する制御信号をアクチュエータ４７へ出力する（ステップＳＴ６）。アクチュエータ４７は、制御信号が更新されると、ワイヤ４２の検出張力が、新たに指示された目標張力となるように、ワイヤ４２の張力を調整する。アクチュエータ４７は、動滑車４５をワイヤ４２に押し付けるように補助ワイヤ４６を引き、ワイヤ４２に張力を与える。
これにより、ワイヤ４２の両端が取り付けられた一対の取付位置の間には、それらの間が狭まらないように張力が加えられる。走行中の車体１には、走行状態に応じた張力が作用する。車体１の剛性が、走行中に走行状態に応じて変化する。車体１の剛性は、走行状態に応じて車体１に作用する外力による車体１の歪みを抑制するように変化できる。
【００３１】
次に、ステップＳＴ４からＳＴ６の制御について、具体例を説明する。
コントローラ４８は、車体の挙動情報として、ビークルダイナミクスコントロールの動作状態またはマグネティックライドサスペンションのダンパ制御情報を取得する。また、車体への操作入力情報として、アクセル開度、ブレーキ操作、またはステアリング舵角の情報を取得する。また、走行経路の予測情報として、車外の撮像画像、ナビ情報、または交通情報を取得する。
【００３２】
コントローラ４８は、取得した情報に基づいて、車両の走行状態を判断する。
走行状態には、たとえば加速状態、減速状態、停止状態、旋回状態または速度域がある。
コントローラ４８は、車両自体の走行状態がいずれの状態であるか否かを判断する。コントローラ４８は、取得したビークルダイナミクスコントロールの動作状態、マグネティックライドサスペンションのダンパ制御情報、アクセル開度情報、ブレーキ操作情報、またはステアリング舵角情報に基づいて、加速状態、減速状態、停止状態、旋回状態または速度域を判断する。
【００３３】
また、コントローラ４８は、取得した車外の撮像画像、ナビ情報、または交通情報に基づいて、走行する道路の状態を判断する。
最後に、コントローラ４８は、判断した車体自体の走行状態と、判断した走行する道路の状態とに基づいて、車体１に作用する外力に対応する張力を演算して取得する。
このように、コントローラ４８は、単に車体自体の走行状態だけでなく、走行する道路の状態を勘案して、最終的な走行状態を判断する。最終的な走行状態は、走行する道路の状態に応じて異なる。
【００３４】
そして、判断した走行状態が前回のものから変化している場合、コントローラ４８は、制御信号を更新する。これにより、ワイヤ４２の張力は変化する。
また、判断した走行状態が前回と同じである場合、コントローラ４８は、制御信号を更新しない。コントローラ４８は、前回の制御信号を出力し続ける。ワイヤ４２の張力は、前回のままに維持される。
【００３５】
以上のように、本第１実施形態では、ワイヤ４２が車体１に取り付けられ、アクチュエータ４７がワイヤ４２の張力を走行状態に応じて調整する。車体１の剛性は、走行状態に応じて変化し、車体１の歪みを抑えることができる。
特に、ワイヤ４２は、車体１の骨格部材内を通して設けられる。よって、アクチュエータ４７がワイヤ４２に対して張力を与えることにより、骨格部材の剛性を向上できる。
その結果、車体１の剛性を走行状態に応じて高めて、車体１に望まれる高い走行性能を実現できる。たとえばスポーツ車両に求められる高い操作応答性や操舵安定性などを実現できる。
また、ワイヤ４２は、車体１の骨格部材内を通して設けられるので、骨格部材の周囲にワイヤ４２を通すための空間を別途確保する必要がない。車両の基本設計を変更することなく、骨格部材の剛性を高めることができる。
【００３６】
また、本実施形態では、骨格部材としてのフロントサイドメンバ１６は、車体１において前後方向に延在し、前後両端で他の部材と結合され、一対のワイヤ４２は、骨格部材内を通し、両端が前後両端の結合部に取り付けられ、骨格部材の前後両端の間に架け渡される。
よって、フロントサイドメンバ１６の周囲にワイヤ４２を通すための空間を確保することなく、フロントサイドメンバ１６の剛性を向上できる。
【００３７】
［第２実施形態］
次に、車体１に対するワイヤ４２の取り付け方の変形例について説明する。
図６は、車体１に対する外力の作用の仕方の一例の説明図である。
一対のフロントサイドメンバ１６の下面部には、フロントサスペンションクロスメンバ７１が取り付けられる。フロントサスペンションクロスメンバ７１は、一対のフロントサスペンション７２とともに、左右一対の前輪７３を軸支する。フロントサスペンション７２の上端部は、フロントサイドメンバ１６とフロントアッパメンバ２０との間に貼られた板金の貫通孔３０に取り付けられる。
前輪７３には、左右方向から内側へ押し込む力が作用することがある。この場合、四角形の外形および中空構造を有するフロントサイドメンバ１６には、図６に示すように斜め方向へ変形させる力が作用する。
図７は、本発明の第２実施形態での、ワイヤ４２の取り付け方の説明図である。
フロントサイドメンバ１６には、ワイヤ４２が取り付けられる。ワイヤ４２は、フロントサイドメンバ１６の四角形の内部空間を通して設けられる。ワイヤ４２の両端は、一対のワイヤガイド７４により、フロントサイドメンバ１６の内部空間の外上側の角部に取り付けられる。ワイヤ４２の中央部は、ワイヤガイド７４により、フロントサイドメンバ１６の内部空間の下内側の角部に取り付けられる。ワイヤ４２は、フロントサイドメンバ１６についてのフロントサスペンションクロスメンバ７１の取り付け部分において、内部空間の一対の対角の間に架け渡される。
このようにワイヤ４２を取り付けることにより、ワイヤ４２は、図６でのフロントサイドメンバ１６を斜め方向へ変形させる力に抗する張力を、フロントサイドメンバ１６に作用できる。フロントサイドメンバ１６は、図６の力の方向へ変形し難くなる。中空のフロントサイドメンバ１６は、その外形を維持し、潰れ難くなる。
【００３８】
［第３実施形態］
更に、車体１に対するワイヤ４２の取り付け方の他の変形例について説明する。
図８は、本発明の第３実施形態での、ワイヤ４２の取り付け方の説明図である。
フロントバンパービーム１８は、一対のフロントサイドメンバ１６の前端の間に取り付けられる。フロントバンパービーム１８は、四角形の外形および中空構造を有する。
フロントバンパービーム１８には、一対のワイヤ４２が取り付けられる。一対のワイヤ４２は、フロントバンパービーム１８の四角形の内部空間を通して設けられる。一対のワイヤ４２の両端は、一対のワイヤガイド７４により、フロントバンパービーム１８の内部空間の外上側の角部に取り付けられる。一対のワイヤ４２は、フロントバンパービーム１８の両端の結合部において、互いに異なる角部に取り付けられ、フロントバンパービーム１８内で交差する、
このようにワイヤ４２を取り付けることにより、ワイヤ４２は、フロントバンパービーム１８の剛性を向上できる。また、フロントバンパービーム１８と、一対のフロントサイドメンバ１６との結合強度も向上できる。車体１は変形し難くなる。
【００３９】
［第４実施形態］
更に、車体１に対するワイヤ４２の取り付け方の他の変形例について説明する。
図９は、本発明の第４実施形態での、ワイヤ４２の取り付け方の説明図である。
フロントサイドメンバ１６とフロントアッパメンバ２０との間には、板金が張られる。板金には、フロントサスペンション７２の上端部が取り付けられる貫通孔３０が形成される。
フロントサイドメンバ１６には、ワイヤ４２が取り付けられる。ワイヤ４２は、フロントサイドメンバ１６の四角形の内部空間を通して設けられる。ワイヤ４２の両端は、フロントサイドメンバ１６の前後両端に取り付けられる。ワイヤ４２の中央部は、フロントサイドメンバ１６に形成された貫通孔を通じて、フロントサイドメンバ１６の外へ引き出される。フロントサイドメンバ１６の外へ引き出されたワイヤ４２の中央部は、貫通孔３０の上側に架けられる。ワイヤ４２の中央部は、たとえば貫通孔３０とフロントアッパメンバ２０との間に設けたワイヤガイド７４に通される。
このようにワイヤ４２を取り付けることにより、ワイヤ４２は、フロントサイドメンバ１６と貫通孔３０との間の変形を抑えることができる。フロントサスペンション７２の上端部が倒れることにより、貫通孔３０がフロントサイドメンバ１６から離間するように変形し難くなる。
【００４０】
以上の実施形態は、本発明の好適な実施形態の例であるが、本発明は、これに限定されるものではなく、発明の要旨を逸脱しない範囲において種々の変形または変更が可能である。
【００４１】
たとえば上記実施形態では、ワイヤ４２は、その両端が骨格部材の長手方向の両端に取り付けられ、骨格部材の長手方向に沿って延在して設けられる。この他にもたとえば、ワイヤ４２は、骨格部材の短手方向に沿って設けられてもよい。
図１０は、ワイヤ４２の取り付け方の第１の変形例の説明図である。
図１０において、ワイヤ４２は、骨格部材６１は、四角形の断面を有する。ワイヤ４２は、この四角形の断面の対角に取り付けられ、対角の間に架け渡される。
図１１は、ワイヤの取り付け方の第２の変形例の説明図である。
図１１において、骨格部材６１は、その中央部に他の骨格部材６１が連結される。ワイヤ４２は、その両端が他の骨格部材６１との連結部と骨格部材６１の端部とに取り付けられ、骨格部材６１の連結部と端部との間に架け渡される。
図１２は、ワイヤの取り付け方の第３の変形例の説明図である。
図１２において、骨格部材６１は、四角柱の外形形状を有する。ワイヤ４２は、その両端が骨格部材６１の両端に取り付けられ、骨格部材６１の周囲に巻き付けられる。
これらの変形例であっても、アクチュエータ４７がワイヤ４２の張力を走行状態に応じて調整することにより、骨格部材の剛性を高め、車体１の歪みを抑えることができる。また、ワイヤ４２は、骨格部材６１と共に一体的に設けられるので、車両の基本設計を変更することなく、骨格部材６１の剛性を高めることができる。
【００４２】
上記実施形態は、本発明を自動車の車体１に適用した例である。この他にもたとえば、本発明は、他の形状のたとえばバス、清掃車などの自動車、電車、バイク、自転車などに適用できる。これらの車体１でも、走行状態に応じた外力が作用する。また、本発明は、シャーシ構造の車体１にも適用できる。本発明が適用される車体１において、骨格部材は、車体１の板金やシャーシ台と一体化されてよい。車体１は、板金などの剛体を用いて補剛されていてもよい。
【符号の説明】
【００４３】
１    車体
４１  剛性制御装置
４２  ワイヤ（第１ワイヤ、第２ワイヤ）
４７  アクチュエータ
４８  コントローラ（制御部）
４９  張力検出部
５０  情報源機器
５１  走行制御装置
５２  ナビゲーション装置
５３  運転支援装置
５４  通信装置
６４  結合部
【図１】
2014069749.tif 000003
【図２】
2014069749.tif 000004
【図３】
2014069749.tif 000005
【図４】
2014069749.tif 000006
【図５】
2014069749.tif 000007
【図６】
2014069749.tif 000008
【図７】
2014069749.tif 000009
【図８】
2014069749.tif 000010
【図９】
2014069749.tif 000011
【図１０】
2014069749.tif 000012
【図１１】
2014069749.tif 000013
【図１２】
2014069749.tif 000014